(57)【要約】【課題】取付工事を簡素化し得る直管型ＬＥＤランプ及び直管型ＬＥＤランプの取付方法を提供する。【解決手段】複数のＬＥＤが配列されたプリント基板１０と、プリント基板１０が下面に取付けられた支持板２０と、支持板２０に取付けられ支持板２０及びプリント基板１０を下方から覆うチューブ３０と、を備える直管型ＬＥＤランプ２００において、始状態では所定幅よりも幅広で、外力が加わると所定幅よりも幅狭の挿通状態となり、しかも外力が取り除かれると弾性によって所定幅よりも幅広の係止状態となる係止部４０を、支持板２０の上面に設けた。【選択図】図３
2016149307.tif 000002
【特許請求の範囲】
【請求項１】
複数のＬＥＤが配列されたプリント基板と、
前記プリント基板が下面に取付けられた支持板と、
前記支持板に取付けられ前記支持板及び前記プリント基板を下方から覆うチューブと、を備える直管型ＬＥＤランプにおいて、
始状態では所定幅よりも幅広で、外力が加わると前記所定幅よりも幅狭の挿通状態となり、しかも前記外力が取り除かれると弾性によって前記所定幅よりも幅広の係止状態となる係止部を、前記支持板の上面に設けたことを特徴とする直管型ＬＥＤランプ。
【請求項２】
前記係止部は、下方に向かって所定力以上の力が加えられると前記係止状態が解除されて前記挿通状態となることを特徴とする請求項１に記載の直管型ＬＥＤランプ。
【請求項３】
前記係止部は、
バネによって閉じるように力がはたらく蝶番を備え、
前記外力が加わっていない閉じた状態において前記蝶番の軸が上端に位置するように配置されたことを特徴とする請求項１又は２に記載の直管型ＬＥＤランプ。
【請求項４】
前記支持板の上面側に前記チューブよりも幅広の薄板を備えることを特徴とする請求項１乃至３のうちいずれか一つに記載の直管型ＬＥＤランプ。
【請求項５】
前記プリント基板に接続され前記プリント基板に電力を供給する電源コードが前記支持板の上面側に引き出されたことを特徴とする請求項１乃至４のうちいずれか一つに記載の直管型ＬＥＤランプ。
【請求項６】
請求項１乃至５に記載の直管型ＬＥＤランプの取付方法であって、
灯具が取付けられていない天井に前記所定幅の孔を直接形成し、
前記係止部に外力を加えて前記係止部を前記挿通状態にして前記孔に挿通しつつ前記外力を取り除き、
前記直管型ＬＥＤランプを天井側へ押し付けて前記係止部を前記係止状態とすることを特徴とする直管型ＬＥＤランプの取付方法。
【請求項７】
複数のＬＥＤが配列されたプリント基板と、
前記プリント基板が下面に取付けられた支持板と、
前記支持板に取付けられ前記支持板及び前記プリント基板を下方から覆うチューブと、を備える直管型ＬＥＤランプにおいて、
上方に突出する突出片と前記突出片の上端側面に形成された爪とを備え弾性を有する係止部を、前記支持板の上面に少なくとも二つ互いに離間させて設けたことを特徴とする直管型ＬＥＤランプ。
【請求項８】
請求項７に記載の直管型ＬＥＤランプの取付方法であって、
灯具が取付けられていない天井の、前記係止部に対応する位置に孔を直接形成し、
前記孔に前記係止部を合わせて配置しつつ前記直管型ＬＥＤランプを天井側へ押し付け、前記孔の内側端部に前記爪を当接させて前記突出片を撓ませ、
さらに前記直管型ＬＥＤランプを天井側へ押し付け前記爪を前記孔の上方へ出して前記突出片の撓みを解除し、前記係止部を係止状態とすることを特徴とする直管型ＬＥＤランプの取付方法。
【発明の詳細な説明】
【技術分野】
【０００１】
本発明は、プリント基板が下面に取付けられた支持板とその下方から覆うチューブを備える直管型ＬＥＤランプ及び直管型ＬＥＤランプの取付方法に関するものである。
【背景技術】
【０００２】
近年、蛍光灯に替わる照明装置として、複数のＬＥＤを発光させる直管型ＬＥＤランプが普及しつつある。
直管型ＬＥＤランプは、蛍光灯に比べて消費電力が小さくしかも製品寿命が長いというメリットがあるので、各社が研究開発及び商品化を進めており、工場や店舗だけでなく一般家庭においても蛍光灯からＬＥＤ照明装置への代替が進みつつある。
【０００３】
そして、本出願人も直管型ＬＥＤランプ１００についての特許出願を既に行っている（特許文献１）。
【先行技術文献】
【特許文献】
【０００４】
【特許文献１】特開２００９−１６４９３号公報
【０００５】
特許文献１に記載の直管型ＬＥＤランプ１００は、図５に示すように複数のＬＥＤが配列されたプリント基板１０と、プリント基板１０が取付けられた支持板２０と、支持板２０の下面に取付けられプリント基板１０を覆うチューブ３０を有する。
また、図６に示すように、電極５１ａを有するコネクタ５１がチューブ３０やプリント基板１０の両端に取付けられている。
そして、そのような直管型ＬＥＤランプ１００は、天井に取付けられた灯具Ｔに装着され、直管型ＬＥＤランプ１００と灯具ＴがＬＥＤ照明装置として機能する。
【０００６】
この直管型ＬＥＤランプ１００は、灯具Ｔのソケット部を介して電源が供給されるとともに灯具Ｔによって支持されている。
このような直管型ＬＥＤランプ１００は、従来の蛍光灯と同様に明るさによって長さや直径が規格化されており、２０型，４０型，１１０型等の規格がある。
【発明の概要】
【発明が解決しようとする課題】
【０００７】
しかしながら、従来の蛍光灯から直管型ＬＥＤランプ１００に取り替える場合、蛍光灯では正常動作に必要なグローランプや安定器を直管型ＬＥＤランプ１００では必要としないので、これらを灯具Ｔから取外して灯具Ｔ内を配線し直さなければならず、直管型ＬＥＤランプ１００の取付作業が煩わしいという問題がある。
ここで、本出願人はグローランプや安定器が直管型ＬＥＤランプ１００には不要であることに着目して創意工夫を重ねることにより本発明を完成するに至った。
【０００８】
そこで、本発明の目的とするところは、取付工事を簡素化し得る直管型ＬＥＤランプ及び直管型ＬＥＤランプの取付方法を提供することにある。
【課題を解決するための手段】
【０００９】
上記の目的を達成するために、本発明の請求項１に記載の直管型ＬＥＤランプ（２００）は、複数のＬＥＤが配列されたプリント基板（１０）と、前記プリント基板（１０）が下面に取付けられた支持板（２０）と、前記支持板（２０）に取付けられ前記支持板（２０）及び前記プリント基板（１０）を下方から覆うチューブ（３０）と、を備える直管型ＬＥＤランプ（２００）において、始状態では所定幅よりも幅広で、外力が加わると前記所定幅よりも幅狭の挿通状態となり、しかも前記外力が取り除かれると弾性によって前記所定幅よりも幅広の係止状態となる係止部（４０）を、前記支持板（２０）の上面に設けたことを特徴とする。
【００１０】
また、請求項２に記載の直管型ＬＥＤランプ（２００）は、前記係止部（４０）は、下方に向かって所定力以上の力が加えられると前記係止状態が解除されて前記挿通状態となることを特徴とする。
【００１１】
また、請求項３に記載の直管型ＬＥＤランプ（２００）は、前記係止部（４０）は、バネによって閉じるように力がはたらく蝶番（４２）を備え、前記外力が加わっていない閉じた状態において前記蝶番（４２）の軸（４２ａ）が上端に位置するように配置されたことを特徴とする。
【００１２】
また、請求項４に記載の直管型ＬＥＤランプ（２００）は、前記支持板（２０）の上面側に前記チューブ（３０）よりも幅広の薄板を備えることを特徴とする。
【００１３】
また、請求項５に記載の直管型ＬＥＤランプ（２００）は、前記プリント基板（１０）に接続され前記プリント基板（１０）に電力を供給する電源コードが前記支持板（２０）の上面側に引き出されたことを特徴とする。
【００１４】
また、請求項６に記載の直管型ＬＥＤランプ（２００）の取付方法は、灯具が取付けられていない天井（１）に前記所定幅の孔（１ａ）を直接形成し、前記係止部（４０）に外力を加えて前記係止部（４０）を前記挿通状態にして前記孔（１ａ）に挿通しつつ前記外力を取り除き、前記直管型ＬＥＤランプ（２００）を天井（１）側へ押し付けて前記係止部（４０）を前記係止状態とすることを特徴とする。
【００１５】
また、請求項７に記載の直管型ＬＥＤランプ（２００）は、複数のＬＥＤが配列されたプリント基板（１０）と、前記プリント基板（１０）が下面に取付けられた支持板（２０）と、前記支持板（２０）に取付けられ前記支持板（２０）及び前記プリント基板（１０）を下方から覆うチューブ（３０）と、を備える直管型ＬＥＤランプ（２００）において、上方に突出する突出片（４３）と前記突出片（４３）の上端側面に形成された爪（４４）とを備え弾性を有する係止部（４０）を、前記支持板（２０）の上面に少なくとも二つ互いに離間させて設けたことを特徴とする。
【００１６】
また、請求項８に記載の直管型ＬＥＤランプ（２００）の取付方法は、灯具が取付けられていない天井（１）の、前記係止部（４０）に対応する位置に孔（１ａ）を直接形成し、前記孔（１ａ）に前記係止部（４０）を合わせて配置しつつ前記直管型ＬＥＤランプ（２００）を天井（１）側へ押し付け、前記孔（１ａ）の内側端部に前記爪（４４）を当接させて前記突出片（４３）を撓ませ、さらに前記直管型ＬＥＤランプ（２００）を天井（１）側へ押し付け前記爪（４４）を前記孔（１ａ）の上方へ出して前記突出片（４３）の撓みを解除し、前記係止部（４０）を係止状態とすることを特徴とする。
【００１７】
ここで、上記括弧内の記号は、図面および後述する発明を実施するための形態に掲載された対応要素または対応事項を示す。
【発明の効果】
【００１８】
本発明の請求項１に記載の直管型ＬＥＤランプによれば、例えば請求項３の直管型ＬＥＤランプように始状態では所定幅よりも幅広で、外力が加わると所定幅よりも幅狭の挿通状態となり、しかも外力が取り除かれると弾性によって所定幅よりも幅広の係止状態となる係止部を、支持板の上面に設けたので、例えば天井に所定幅の孔を設けることで、灯具を介することなく直接天井に直管型ＬＥＤランプを取付けることができる。
つまり、照明自体を新設する場合には直管型ＬＥＤランプは灯具を必要としないので、その分の製品コストを低減可能であると同時に、取付工事が簡素化され工事のコストを低減可能である。
一方、蛍光灯から直管型ＬＥＤランプに変更する場合には配線し直しの必要が無く、蛍光灯用の灯具を取り除くだけでいいので、交換工事の簡素化につながる。
ここで、直管型ＬＥＤランプは長寿命であるので、施工後の交換のことを考慮することなく、直管型ＬＥＤランプを天井に対していわゆる嵌め殺しとすることも可能である。
【００１９】
また、請求項２に記載の直管型ＬＥＤランプによれば、請求項１に記載の発明の作用効果に加え、係止部は、下方に向かって所定力以上の力が加えられると係止状態が解除されて挿通状態となるので、天井又は直管型ＬＥＤランプを破壊することなく、取付け後の直管型ＬＥＤランプを交換可能である。
【００２０】
また、請求項４に記載の直管型ＬＥＤランプによれば、請求項１乃至３に記載の発明の作用効果に加え、支持板の上面側にチューブよりも幅広の薄板を備えるので、従来の蛍光灯から直管型ＬＥＤランプに交換する場合に、天井に付いた灯具の跡を隠すことができる。
【００２１】
また、請求項５に記載の直管型ＬＥＤランプによれば、請求項１乃至４に記載の発明の作用効果に加え、プリント基板に接続されプリント基板に電力を供給する電源コードが支持板の上面側に引き出されたので、天井に孔を形成してその孔を介して天井裏に電源コードを収納することですっきりとした印象となり、デザイン性に優れる。
【００２２】
また、請求項６に記載の直管型ＬＥＤランプの取付方法によれば、請求項１に記載の発明の作用効果に加え、灯具が取付けられていない天井に所定幅の孔を直接形成し、係止部に外力を加えて係止部を挿通状態にして孔に挿通しつつ外力を取り除き、直管型ＬＥＤランプを天井側へ押し付けて係止部を係止状態とするので、従来の蛍光灯から直管型ＬＥＤランプに交換する場合に、従来よりも取付工事が簡素化されるとともに、製品コスト及び工事コストを低減可能である。
【００２３】
また、請求項７に記載の直管型ＬＥＤランプのように、上方に突出する突出片と突出片の上端側面に形成された爪とを備え弾性を有する係止部を、支持板の上面に少なくとも二つ互いに離間させて設けても、請求項８に記載した方法によって直管型ＬＥＤランプを直接天井に対して簡単に取付けることが可能である。
【００２４】
なお、本発明の直管型ＬＥＤランプ及び直管型ＬＥＤランプの取付方法のように、弾性によって幅が変化する係止部を支持板の上面に備える点は、上述した特許文献１には全く記載されていない。
【図面の簡単な説明】
【００２５】
【図１】本発明の第一実施形態に係る直管型ＬＥＤランプの始状態を示す断面図である。
【図２】図１に示す直管型ＬＥＤランプの挿通状態を示す断面図である。
【図３】図１に示す直管型ＬＥＤランプを天井に取付けた状態（係止状態）を示す断面図である。
【図４】本発明の第二実施形態に係る直管型ＬＥＤランプを示す断面図である。
【図５】従来例に係る直管型ＬＥＤランプを示す斜視図である。
【図６】従来例に係る直管型ＬＥＤランプを示す外観図であり、（ａ）は平面図を、（ｂ）は側面図を示す。
【発明を実施するための形態】
【００２６】
（第一実施形態）
図１乃至図３を参照して、本発明の第一実施形態に係る直管型ＬＥＤランプ２００を説明する。
この直管型ＬＥＤランプ２００は、プリント基板１０と、支持板２０と、チューブ３０と、係止部４０と、を備え、特に係止部４０及び灯具を必要としないことを特徴とするものである。
従来例で示したものと同一部分には同一符号を付した。
【００２７】
プリント基板１０は、その表面において複数のＬＥＤ１１同士が直列に接続され、これらのＬＥＤ１１には複数のゼナーダイオードがそのアノード側をＬＥＤ１１のカソード側に並列して（いわゆる、逆並列で）接続される。ＬＥＤ１１とゼナーダイオードとの一セットは、一列でプリント基板１０の長手方向に並ぶ。ＬＥＤ１１の個数は、直管型ＬＥＤランプ２００の全長等によって変わり、また、例えば二列で配列してもよく、特に配列方法は限定されるものではない。
そして、ＬＥＤ１１及びゼナーダイオードに電源から電力が供給される。
なお、プリント基板１０自体に印加される電圧は交流電圧であるが、ダイオードスタックによって直流に変換され、その電流は定電流ダイオードによって電圧に関係なく一定に制御される。
【００２８】
支持板２０は、アルミ製のレールで構成されるとともに、プリント基板１０が下面に直接取付けられており、ＬＥＤ１１が下方に露出している。
支持板２０の左右には係止溝２１が形成され、支持板２０の上面は平面になっている。
また、支持板２０の下面の左右両端部に、側壁２２が長手方向に延びるように形成されている。この側壁２２間にプリント基板１０が配置される。支持板２０に対するプリント基板１０の固定はネジ止めによるものであるが、接着剤等による固定であってもよい。
【００２９】
チューブ３０は、断面略半円形状で透明（半透明であってもよい）であり、支持板２０の上面を露出させた状態でプリント基板１０及び支持板２０の下面を覆い、左右方向内側に折り返されて爪４４形状になっているチューブ３０の左右両側端部が、支持板２０に形成された係止溝２１に嵌め込まれることによって、支持板２０に取付けられている。
また、チューブ３０の内側には、ＬＥＤ１１の光を拡散するフィルム（図示しない）が貼着されている。
【００３０】
係止部４０は、取付基部４１と蝶番４２からなる。
取付基部４１は上方が開口した断面略コ字状であり、底部が支持板２０の上面にネジ止めされる。
取付基部４１の左右両側面の外側にはそれぞれ蝶番４２がネジによって取付られている。
詳しくは、蝶番４２の羽根の一枚が取付基部４１の側面にネジ止めされ、もう一枚の羽根は固定されず自由に動く。この蝶番４２の軸４２ａはバネになっており、そのバネの弾性によって蝶番４２が閉じるように力がはたらく。そして、外力が加えられずバネによって閉じた状態において、蝶番４２の軸４２ａが上端になるように取付基部４１に対して取付けられている。
【００３１】
また、電源コードが支持板２０の上面側に引き出されており、これはプリント基板１０に接続されプリント基板１０に電力を供給するものである。
【００３２】
次に、上記のように構成された直管型ＬＥＤランプ２００の取付方法について説明する。
最初に灯具が取付けられていない天井１に、所定幅の矩形状の孔１ａを直接形成する。この天井１部分は元々照明装置が取付けられていない位置であってもよいし、蛍光灯用の灯具を取り外した位置であってもよい。
【００３３】
また、この所定幅とは、係止部４０の蝶番４２を略１８０度に開いた場合の係止部４０の最小幅よりも広く、チューブ３０の直径よりも狭い。また、係止部４０に外力が加えられていない始状態では係止部４０は所定幅よりも幅広である。
【００３４】
ここで、図２に示すように、係止部４０の蝶番４２に対して蝶番４２を広げて起こすように外力を加えて、その幅が所定幅よりも幅狭の挿通状態にする。
そしてそのまま天井１の孔１ａに係止部４０を挿通しつつ、外力を取り除く。
さらに直管型ＬＥＤランプ２００を天井１側へ押し付けて、係止部４０を係止状態とする。この係止状態では、バネの弾性によって係止部４０は所定幅よりも幅広となる。このように本実施形態に係る直管型ＬＥＤランプ２００は灯具無しで天井に取付けられ、支持される。
【００３５】
このバネの強さは、通常の大きさの地震が起きても係止状態が解除されない程度の強さである。
一方、下方に向かって所定力以上の力が加えられると、係止部４０は係止状態が解除されて挿通状態となり、天井１の孔１ａから引き抜き可能である。
ここで、始状態に比べて係止状態のほうが蝶番４２は広がっているが、始状態と係止状態が同じ蝶番４２の広がりであってもよい。
【００３６】
なお、電源用孔も同時に天井１に形成し、電源コードを電源用孔に挿通して天井１裏に配置しておく。
【００３７】
以上のように構成されるとともに取付けられる直管型ＬＥＤランプ２００によれば、始状態では所定幅よりも幅広で、外力が加わると所定幅よりも幅狭の挿通状態となり、しかも外力が取り除かれると弾性によって所定幅よりも幅広の係止状態となる係止部４０を、支持板２０の上面に設けたので、天井１に所定幅の孔１ａを設けることで、灯具を介することなく直接天井１に直管型ＬＥＤランプ２００を取付けることができる。
つまり、照明自体を新設する場合には直管型ＬＥＤランプ２００は灯具を必要としないので、その分の製品コストを低減可能であると同時に、取付工事が簡素化され工事のコストを低減可能である。
一方、蛍光灯から直管型ＬＥＤランプ２００に変更する場合には配線し直しの必要が無く、蛍光灯用の灯具を取り除くだけでいいので、交換工事の簡素化につながる。
【００３８】
また、係止部４０は、下方に向かって所定力以上の力が加えられると係止状態が解除されて挿通状態となるので、天井１又は直管型ＬＥＤランプ２００を破壊することなく、取付け後の直管型ＬＥＤランプ２００を交換可能である。
【００３９】
また、プリント基板１０に接続されプリント基板１０に電力を供給する電源コードが支持板２０の上面側に引き出されたので、天井１に孔１ａを形成してその孔１ａを介して天井１裏に電源コードを収納することですっきりとした印象となり、デザイン性に優れる。
【００４０】
（第二実施形態）
次に図４を参照して、本発明の第二実施形態に係る直管型ＬＥＤランプ２００を説明する。なお、第一実施形態と同一部分には同一符号を付した。
本実施形態の第一実施形態との違いは、係止部４０であり、その他の構成要素に関しては第一実施形態と同一である。
【００４１】
本実施形態における係止部４０は、上方に突出する突出片４３と突出片４３の上端側面（左右外側）に形成された爪４４とを、二組備え、全体として上方が開口した略コ字状となっている。つまり、爪４４を有する突出片４３を二つ互いに離間させて設けている。
また、係止部４０は合成樹脂製で弾性を有し、外力を加えると左右に撓む。
また、突出片４３の爪４４の下面までの高さは天井１の厚さと略等しく、天井１の孔１ａに内側から嵌合可能である。
このような係止部４０が支持板２０の上面に取付けられている。
【００４２】
次に、このように構成された直管型ＬＥＤランプ２００の取付方法について説明する。
まず、灯具が取付けられていない天井１に対し、係止部４０間距離と同じだけの幅の孔１ａを直接形成する。
そして、孔１ａに係止部４０を合わせて配置しつつ直管型ＬＥＤランプ２００を天井１側へ押し付ける。
孔１ａの内側端部に爪４４を当接（摺動）させて突出片４３を内側に撓ませ、さらに直管型ＬＥＤランプ２００を天井１側へ押し付け爪４４を孔１ａの上方へ出して突出片４３の撓みを解除し、係止部４０を係止状態とする。
【００４３】
このように構成及び取付けられる直管型ＬＥＤランプ２００であっても、従来の蛍光灯から直管型ＬＥＤランプ２００に交換する場合に、従来よりも取付工事が簡素化されるとともに、製品コスト及び工事コストを低減可能である。
また、当然照明装置を新設する場合にもコストを低減可能である。
【００４４】
なお、第一実施形態において、係止部４０の取付基部４１と蝶番４２はネジ止めされて結合したが、これに限られるものではなく、他の結合方法でもよい。また、取付基部４１と蝶番４２が一体的に形成されていてもよい。
また、係止部４０は下方に向かって所定力以上の力が加えられると係止状態が解除されて挿通状態となるとしたが、これに限られるものではない。直管型ＬＥＤランプ２００は長寿命であるので、施工後の交換のことを考慮することなく、直管型ＬＥＤランプ２００を天井１に対していわゆる嵌め殺しとすることも可能である。
【００４５】
また、係止部４０は第一実施形態におけるような蝶番４２を有するものでなくてもよく、弾性によって幅が変化し、取付け後に簡単には直管型ＬＥＤランプ２００が落下しないものであればよい。
【００４６】
また、支持板２０の上面側にチューブ３０よりも幅広の薄板を備えていてもよい。これにより、従来の蛍光灯から直管型ＬＥＤランプ２００に交換する場合に、天井１に付いた灯具の跡を隠すことができる。
【００４７】
さらに、プリント基板１０に接続されプリント基板１０に電力を供給する電源コードが支持板２０の上面側に引き出されたとしたが、電源供給の方法はこれに限られるものではない。
【００４８】
また、第二実施形態において、天井の孔１ａを二つの突出片４３について一つ形成したが、一つの突出片４３及び爪４４について一つの孔１ａを形成してもよい。
【符号の説明】
【００４９】
１      天井
１ａ    孔
１０      プリント基板
１１      ＬＥＤ
２０      支持板
２１      係止溝
２２      側壁
３０      チューブ
４０      係止部
４１      取付基部
４２      蝶番
４２ａ    軸
４３      突出片
４４      爪
５１      コネクタ
５１ａ    電極
１００      直管型ＬＥＤランプ
２００      直管型ＬＥＤランプ
Ｔ      灯具
【図１】
2016149307.tif 000003
【図２】
2016149307.tif 000004
【図３】
2016149307.tif 000005
【図４】
2016149307.tif 000006
【図５】
2016149307.tif 000007
【図６】
2016149307.tif 000008